(57)【特許請求の範囲】
【請求項１】
流水口を有する本体と、
本体に設置された椀状のデフレクターと、
デフレクターには多数の散水孔が環状に並設され、環状に並設された散水孔が上下複数の段に穿設されており、
デフレクター内部の上段散水孔と下段散水孔の間を隔て、穴を有する流量調整板が設置され、
デフレクターの外部には最上段の散水孔の上端面と同じ高さで外部に拡張した鍔部を設置したことを特徴とする放水型ヘッド。
【請求項２】
流水口を有する本体と、
本体に設置された椀状のデフレクターと、
デフレクターには多数の散水孔が環状に並設され、環状に並設された散水孔が上下複数の段に穿設されており、
デフレクター内部の上段散水孔と下段散水孔の間には穴を有する流量調整板が設置され、最上段の散水孔の上端に鍔部を設置し、
散水孔から鍔部の外縁部に向けて鍔部を上方に傾斜させたことを特徴とする放水型ヘッド。
【請求項３】
流水口を有する本体と、
本体に設置された椀状のデフレクターと、
デフレクターには多数の散水孔が環状に並設され、環状に並設された散水孔が上下複数の段に穿設されており、
デフレクター内部の上段散水孔と下段散水孔の間には穴を有する流量調整板が設置され、最上段の散水孔の上端に鍔部を設置し、
散水孔が穿設されたデフレクターの側面と、散水孔の上部に形成された鍔部との境界部分がアール形状または傾斜形状であることを特徴とする放水型ヘッド。
【請求項４】
デフレクターの散水孔が穿設された側面から鍔部の外縁部までの距離は、散水孔の幅以上とした請求項１〜３の何れか１項記載の放水型ヘッド。
【請求項５】
鍔部に散水孔から鍔部の外縁に向かう溝を刻設した請求項１〜請求項４の何れか１項記載の放水型ヘッド。
【請求項６】
流水口を有する本体と、
本体に設置された椀状のデフレクターと、
デフレクターには多数の散水孔が環状に並設され、環状に並設された散水孔が上下複数の段に穿設されており、
デフレクター内部の上段散水孔と下段散水孔の間を隔て、穴を有する流量調整板が設置され、
デフレクターの外部には最上段の散水孔の上端面と同じ高さで流水口の放水方向と交差する方向に拡張した面が設置されていることを特徴とする放水型ヘッド。
【請求項７】
流水口を有する本体と、
本体に設置された椀状のデフレクターと、
デフレクターには多数の散水孔が環状に並設され、環状に並設された散水孔が上下複数の段に穿設されており、
デフレクター内部の上段散水孔と下段散水孔の間を隔て、穴を有する流量調整板が設置され、
デフレクターの外部には最上段の散水孔の上端面と同じ高さで流量調整板と平行な方向に拡張した面が設置されていることを特徴とする放水型ヘッド。
【請求項８】
流量調整板の穴の最小部口径は、流水口の最小部口径よりも小さい請求項１〜請求項７の何れか１項記載の放水型ヘッド。
【請求項９】
散水孔とその隣の散水孔までの間隔は、散水孔の幅よりも狭い請求項１〜請求項８の何れか１項記載の放水型ヘッド。
【請求項１０】
上段散水孔の高さ寸法は下段散水孔の高さ寸法よりも短い請求項１〜請求項９の何れか１項記載の放水型ヘッド。
【請求項１１】
上段散水孔の数と下段散水孔の数が等しい請求項１〜請求項１０の何れか１項記載の放水型ヘッド。
【請求項１２】
放水型ヘッドは天井が設置されない場所に設置可能である請求項１〜請求項１１の何れか１項記載の放水型ヘッド。
【請求項１３】
散水孔の上端には散水孔から噴出される水が沿って流れる面を有する請求項１〜請求項１２の何れか１項記載の放水型ヘッド。
【請求項１４】
最上段の散水孔の内側には、最上段の散水孔の上端面と同じ高さで内部に拡張した面を備える請求項１〜請求項１３の何れか１項記載の放水型ヘッド。
【発明の詳細な説明】
【技術分野】
【０００１】
本発明は、火災発生時に水を散布して消火を行うスプリンクラーヘッド、特に放水型ヘッドに関するものである。
【背景技術】
【０００２】
放水型ヘッドは、ノズルが常時開放されている開放型ヘッドのなかの一つであり、火災感知器や火災センサーの作動によって放水型ヘッドへ送水が行われる。放水型ヘッドは通常の閉鎖型スプリンクラーヘッド（常時ノズルが閉塞されており、火災の熱で感熱分解部が作動してノズルを開放するスプリンクラーヘッド）よりも天井が高い部分に設置される。なぜならば閉鎖型スプリンクラーヘッドを高天井部分に設置すると、火災の熱が天井に到達して閉鎖型スプリンクラーヘッドが作動するまでに時間を要して火災を延焼させてしまうことが危惧されるからである。
【０００３】
このような高天井の建物では、火災の初期消火を行うために開放型ヘッドが用いられる。開放型ヘッドのなかでも放水型ヘッドは１個あたりの散水範囲（防護エリア）が広いことから、劇場や屋内スタジアム等の大空間に設置される。放水型ヘッドの一例として特許文献１に記載のものがある。
【０００４】
特許文献１の放水型ヘッドはマルチ型構造の放水型ヘッドである。この放水型ヘッドは天井または天井付近に設置され、放水によって床面に散布される散水範囲の形状が略円形をしている。
【０００５】
放水型ヘッドは散水範囲（防護エリア）内に所定以上の水量が散布されなければならないことが法令で定められている。しかしながら放水型ヘッドは床面から１０ｍ以上の高さに設置される場合があり、高い位置に設置された放水型ヘッドから散布された水が床面に到達するまでに空気抵抗や空調設備の影響を受けてしまうおそれがある。そのため放水型ヘッドから散水される水滴は、ある程度以上の大きさとなるように散布される。これにより空気抵抗や空調設備の影響を小さくして防護エリア内に所定以上の水量を散布させている。
【先行技術文献】
【特許文献】
【０００６】
【特許文献１】特開平１０−１７９７８８号公報
【発明の概要】
【発明が解決しようとする課題】
【０００７】
上記のように放水型ヘッドから散布される水はある程度以上の大きさの水滴であるため、放水型ヘッドが設置された高所から床面へ降下しやすい作用を有するが、防護エリアを拡大させたい場合には放水型ヘッドの放水圧力や放水量を増加させて、放水型ヘッドから散布される水の水平方向への飛距離を伸ばしたり、拡大された防護エリアへの散水量を増やさなければならない。しかしながら放水圧力や放水量を増加させると、水源と放水型ヘッドを接続する配管をサイズアップしなければならないことや、放水型ヘッドへ水を供給するポンプの容量をより大きいものにしなければならず設備コストが増加する問題がある。
【０００８】
一方、放水型ヘッドから散布される水滴の大きさを小さくすると、水滴の水平方向の飛距離は伸びるが、空気抵抗や空調設備の影響を受けやすくなり法令で定められた所定以上の水量が得られない可能性がある。
【０００９】
そこで本発明では、上記問題に鑑み、放水型ヘッドから散布される水滴の大きさを確保しつつ水平方向への飛距離を伸ばして防護エリアが拡大可能な放水型ヘッドを提供することを目的としている。
【課題を解決するための手段】
【００１０】
上記の目的を達成するために、本発明は以下の放水型ヘッドを提供する。
椀状のデフレクターに穿設した多数の散水孔が環状に並設され、環状に並設された散水孔が上下複数の段に穿設されており、該デフレクターが流水口を有する本体に設置されたマルチ型の放水型ヘッドにおいて、最上段の散水孔の上部に鍔部を設置したことを特徴とする放水型ヘッドである。
これによれば、最上段の散水孔から噴出した水が鍔部の下面に沿って流れることで水平方向への水流の勢いが増加した状態で鍔部の外縁部から飛散することでより遠くに水を飛散させることができる。また鍔部を設置して散水孔から噴出した水を鍔部側へ導くことで、上記のように水平方向への飛距離を伸ばしつつ、まとまった水量を遠方へ飛散させることができるので放水型ヘッドの防護エリアを拡大することができる。このとき、最上段の散水孔の上端部と鍔部の下面の高さ位置を同じにすると、散水孔から噴出した水が鍔部に流れる際の抵抗を減らすことができる。
【００１１】
前記本発明については、デフレクターの散水孔が穿設された側面から鍔部の外縁部までの距離は、散水孔の幅以上として構成可能である。
これによれば、デフレクターの散水孔が穿設された側面から鍔部の外縁部までの距離が長い程、散水孔から噴出された水の水平方向へ流れる勢いを増加させることができる。デフレクターの散水孔が穿設された側面から鍔部の外縁部までの距離が短いと散水孔から噴出された水の水平方向へ流れる勢いが不足するおそれがあることから、この長さを散水孔の幅以上とすることで散水孔から噴出された水の水平方向への流れの勢いを十分増加させることができる。
【００１２】
前記本発明については、散水孔から鍔部の外縁部に向けて鍔部を上方に傾斜させて構成可能である。
これによれば、散水孔の上部に形成された鍔部の下面を上方（天井側）へ向かって傾斜させたことで鍔部の外縁部と天井下面の位置が近くなり、散水孔から噴出した水が鍔部の下面を伝わり、鍔部の外縁部から天井に沿って流れるので水平方向への飛距離を伸ばすことができる。
【００１３】
前記本発明については、散水孔が穿設されたデフレクターの側面と、散水孔の上部に形成された鍔部との境界部分がアール形状または傾斜形状として構成可能である。
これによれば、散水孔の鍔部側の縁が鍔部の外縁部へ向かって延伸されるので、散水孔から噴出される水を鍔部の外縁部に向けて誘導させることができる。
【００１４】
前記本発明については、鍔部に散水孔から鍔部の外縁に向かう溝を刻設して構成可能である。
これによれば、鍔部の下面を流れる水を溝の方向に誘導することができ、任意の方向への散水量を増加させたり、飛距離を伸ばすことができる。
【発明の効果】
【００１５】
以上説明したように本発明によれば、鍔部を設置したことで最上段の散水孔から噴出した水が鍔部の下面に沿って流れることで水平方向への水流の勢いが増加した状態で鍔部の外縁部から飛散することでより遠くに水を飛散させることができる。また鍔部を設置して散水孔から噴出した水を鍔部側へ導くことで、上記のように水平方向への飛距離を伸ばしつつ、まとまった水量を遠方へ飛散させることができるので放水型ヘッドの防護エリアを拡大することができる。
【図面の簡単な説明】
【００１６】
【図１】本発明の放水型ヘッドの側面図
【図２】図１の断面図
【図３】図１の斜視図
【図４】変形例１：断面図
【図５】変形例２：鍔部の溝形状を示す図面
【発明を実施するための最良の形態】
【００１７】
本発明の放水型ヘッドＨは、本体１、デフレクター２から構成される。本体１は、中央に流水口３が形成されており、その外側には配管Ｐに取り付けるための取り付けネジ４が螺設されている。本体１の下部はフランジ５が形成されており、該フランジ５の外周部には牡ネジ６が螺設されている。
【００１８】
デフレクター２は段差７を有する椀状となっており、上部には牝ネジ８が螺設されていて、該牝ネジ８を前述本体１のフランジ５の牡ネジ６に螺合することにより本体１に取り付けられている。デフレクター２には、段差７からその上方にかけて多数の散水孔（上段散水孔）９が環状に並設されている。また段差７の下部にも多数の散水孔（下段散水孔）１０が環状に並設されている。
【００１９】
上段散水孔９に対する下段散水孔１０の穿設位置は、上段散水孔９とその隣接した上段散水孔９の間の下方となるところである。つまり本実施形態の放水型ヘッドでは、上段散水孔９と下段散水孔１０とは、それぞれが互い違いの位置となるように穿設してある。
【００２０】
上段散水孔９の上方には鍔部１１が外方へ拡張して設置されている。鍔部１１の下面１１Ａは、上段散水孔９の上端面と同じ高さ位置に設置されており、上段散水孔９から噴出される水が鍔部１１の下面１１Ａに沿って流れる際に流水の抵抗を減らすことができる。
【００２１】
鍔部１１において、デフレクター２の上段散水孔９が穿設された側面２Ａから鍔部１１の外縁部１１Ｂまでの距離Ｌは、上段散水孔９の幅Ｗ以上の長さとする。こうすることで、上段散水孔９から噴出された水に水平方向への流れの勢いを付与するのに十分な距離を確保することができる。
【００２２】
また、デフレクター２の段差７より上方の側面２Ａと鍔部１１の下面１１Ａの境界部分１２がアール形状となっている。これにより上段散水孔９の鍔部１１側の縁９Ａが鍔部１１の外縁部１１Ｂに向かって延伸されるので、上段散水孔９から噴出される水を鍔部１１の外縁部１１Ｂへ向けて誘導させることができる。
【００２３】
同様に段差７より下方の側面２Ｂと段差７との境界部分１３もアール形状となっており、下段散水孔１０の段差７側の縁が段差７の外縁に向かって延伸されるので、下段散水孔１０から噴出される水を段差７の外縁側へ向けて誘導させることができる。段差７は上記の鍔部１１と同様に下段散水孔１０から噴出した水を段差７に沿って流すことで水平方向への飛距離を伸ばすことができる。上記の境界部分１２、１３を傾斜形状にすることも可能である。
【００２４】
デフレクター２の内部には流量調整板１４が設置されている。流量調整板１４は上段散水孔９と下段散水孔１０の間に設置するものであり、中央に穴１５があいている。流量調整は穴１５の大きさを加減することにより行える。つまり下段散水孔１０からの散水量を多くする場合は穴１５を大きくし、逆に上段散水孔９からの散水量を多くする場合は穴１５を小さくする。
【００２５】
また、デフレクター２の散水孔９、１０の幅や大きさは、放水型ヘッドから散水される水滴の大きさに影響を与えており、例えば散水孔９、１０の幅が狭くなると水滴が小さくなり、幅を大きくすると水滴が大きくなる傾向がある。
【００２６】
変形例１（図４）
図４に示す変形例１では、上段散水孔９から鍔部１１の外縁部１１Ｂに向けて鍔部の下面１１Ａを上方に傾斜させて構成している。鍔部１１の外縁部１１Ｂは、天井Ｃの下面との距離が近接して設置され、鍔部１１を流れてきた水流が天井Ｃの下面へ流れる際の抵抗を低減させ、水平方向への飛距離を伸ばすことができる。
【００２７】
また、天井Ｃが設置されないケースでは、上段散水孔９から噴出した水が鍔部１１の下面１１Ａに沿って流れて外縁部１１Ｂから飛散する際に、斜め上方への水流となって飛散するので水平方向への飛距離を増やすことができる。
【００２８】
変形例２（図５）
変形例２は、鍔部１１の下面１１Ａに上段散水孔９の出口から鍔部１１の外縁部１１Ｂに向かって溝Ｇを刻設したものである。これにより上部散水孔９から噴出した水が溝Ｇに沿って流れるので、任意の方向への散水量を増加させたり、飛距離を伸ばすことができる。
【００２９】
図５（ａ）では鍔部１１の下面１１Ａの任意の方向に溝Ｇを刻設したものである。これによれば溝Ｇが伸びる方向に水流が導かれ、楕円型の防護エリアを得ることができる。また同図（ｂ）では溝Ｇが円弧形状に湾曲して刻設されており、上部散水孔９から噴出した水は溝Ｇに沿って流れ、外縁部１１Ｂから飛散した水が螺旋型に散布される。これにより防護エリア内の散水量を均一化することができる。
【符号の説明】
【００３０】
１  本体  
２  デフレクター  
３  流水口  
４  取り付けネジ  
５  フランジ  
６  牡ネジ  
７  段差  
８  牝ネジ  
９  上段散水孔  
１０  下段散水孔  
１１  鍔部  
１２  上段散水孔が穿設された側面と鍔部の境界部分  
１３  下段散水孔が穿設された側面と段差の境界部分  
１４  流量調整板  
１５  穴  
【図１】
0005765853.tif 000002
【図２】
0005765853.tif 000003
【図３】
0005765853.tif 000004
【図４】
0005765853.tif 000005
【図５】
0005765853.tif 000006